(57)【要約】【課題】  降雨時に換気扇のウエザーカバー自体が外側、内側共の汚れ物を雨水の流水力だけで洗い流すことで、セルフクリーニング（自己清掃）が可能となり、同時に殺菌、脱臭も提供する。【解決手段】  降雨時に雨水は換気扇ウエザーカバー外側は本体上板１ａを流れ、内側は本体上部雨水流入口３より本体上板内側１ｄへ流れ外側、内側共本体上板の水下先端２へ流れ、先端は右左両端に向って緩い山形状になっていて、雨水は先端では水滴として落下せずに雨水の流れは本体上板に接合されている右左側板へ分流して流れ、各側板の下端部で集水され反射板兼用水切板上へ流れ移り水切上から流れ落ちる、この一連の流れに光触媒の作用を応用し、流水力で汚れ物を洗い流すセルフクリーニング（自己清掃）を可能とした。【選択図】      図１
2005180886.tif 000002
【特許請求の範囲】
【請求項１】
換気扇用ウエザーカバーの上板は水上より水下に向って勾配が付いて上板右左両端部と右左側板各上端部とは接合され、上板の水下先端部は右左に向って緩い山形形状で形成し、一方上板の水上にウエザーカバーの内側へ一定量の雨水を取込む流入口を設け、前記右左側板の下端は三角形状を形成し、これに連設する反射板兼用水切板はウエザーカバー内側へ向け外わん曲形状をなし、光触媒の親水作用を促進させると共に雨水を建物外に流し切る効果を成し、降雨時には前記のウエザーカバーの構成、形状により、雨水をウエザーカバーの外側、内側共の全面を速やかに流れ切ることを利用して、ウエザーカバーの外側、内側共に付着した汚れ物を洗い流すセルフクリーニング（自己清掃）可能とすることを特徴とする換気扇用ウエザーカバー。
【請求項２】
前記換気扇用ウエザーカバー本体はステンレス、板金、樹脂材等で形成したことを特徴とする請求項１記載の換気扇用ウエザーカバー。
【請求項３】
換気扇用ウエザーカバーの外側、内側共全面に光触媒反応を発生させる酸化チタンを応用塗布して、光触媒の親水作用を応用して請求項１記載の換気扇用ウエザーカバーに付着した汚れを洗い流す効果を促進すると共に、光触媒の分解作用で殺菌、脱臭効果を求めた換気扇用ウエザーカバー。
【発明の詳細な説明】
【発明の詳細な説明】
【技術分野】
【０００１】本発明は台所、厨房、工場、作業場等の換気扇の外に付くウエザーカバーである。
【背景技術】
【０００２】従来の換気扇用ウエザーカバー（以下これらを「ウエザーカバー」という）は、図７に示す構造である。それはウエザーカバー本体１００が雨除けを目的としている為、雨水の大部分はウエザーカバー上板１０１を水下方向へ流れウエザーカバー上板の水下先端１０２で水滴となり落下し、一部はウエザーカバー両脇外側を流れ下部の水切り１０３に流れ水滴となり落下する。そのうえウエザーカバーの内側に雨水が流入することはなく、従って従来のウエザーカバーの外側、内側共に付着した汚れ物は、降雨時の雨水の流水力だけでは洗い流すことは困難であった。【０００３】それとウエザーカバーは高所、難所に取付られている場合等は外側、内側共清掃するには困難である、それにウエザーカバーの取付けている建物及び隣接建物においても外壁面や屋根面の汚れや不衛生、悪臭と共に近隣の環境にも悪影響を与えていた。
【発明が解決しょうとする課題】
【０００４】それは既存のウエザーカバーは、特にウエザーカバー内側に雨水が流入しない構造の為、汚れ等は蓄積するだけで自然に流れ落ちることはないのが現状であり、既存のウエザーカバーは、実際に人の手を加えない限り清掃は不可能という問題があった。
【０００５】本発明は上記問題点を鑑みて工夫されたものであって、ウエザーカバー本体上板の上部の一部に雨水の流入口を設けて内側へ雨水を一定量流入させ、外側と共に光触媒の親水作用を応用してウエザーカバーの外側、内側共、汚れ物等をセルフクリーニング（自己清掃）で洗い流すと同時に、光触媒の分解作用で殺菌、脱臭共をなした換気扇用ウエザーカバーを提供せんとするものである。
【課題を解決する為の手段】
【０００６】本発明は、上記目的を達成する為に、次の構成を有する。ウエザーカバーは、本体の上部の一部に雨水の一定量の流入口を設け、ウエザーカバーの外側、内側共雨水が連続して流れ易い形状に出来ていて、雨水はウエザーカバー最上部から最下部まで外側、内側共スムーズに流れる、反射板兼用水切りは流れてきた雨水を建物外へ洗い流す役目と、光触媒の親水作用を高めるため、ウエザーカバーの内側へ多くの紫外線を反射取込み易い形状になされている。
【０００７】さらに光触媒の親水作用を応用する為、酸化チタンをウエザーカバー外側、内側共に塗布して雨水による親水作用を発生させ、その雨水の流水力でウエザーカバー外側、内側共に付着してる汚物等を洗い流しながら、同時に光触媒の分解作用で殺菌、脱臭を行えるように構成したことを特徴とする。
【発明を実施するための最良の形態】
【０００８】以下本発明の形態について図面を参照しつつ説明する。
図１は本発明の全体の構成の外観斜視図、図２は本発明の要部の縦断面図、図３は本発明の平面図（上面図）、図４は本発明の正面図、図５は本発明の左側面図、図６は本発明の右側面図、図７は従来品の外観斜図である。【０００９】図中、１はウエザーカバー本体であり、本体はステンレス、板金、樹脂材等で出来ていて、本体上板１ａであり、水上より水下に向って雨水が自然に流れる形状及び勾配になっていて、図２の曲面状でもよいし角型状でもよい、本体上板の水下先端部２は本体上板１ａの下部先端であって右左両端に向って緩い山形状になっている、それはウエザーカバー本体上板１ａと、本体上板内側１ｄ共流れた雨水は先端で落下せずに本体上板の水下先端２の左右両端に流れる、それに本体上板１ａ、本体の上板内側１ｄ共光触媒の酸化チタンを塗布する。【００１０】３は本体上部雨水流入口で、ウエザーカバー本体上板１ａの水上に一定量の雨水が本体内側に流入可能な流入口を設ける、流入口の大きさは通常の場合は小さい流入口だと水の表面張力で流入が阻止されるが、光触媒の親水作用を応用する事で、小さい流入口でも雨水が流入可能となる、このことは不必要な雨水が建物内に流入する事の防止にもなる。【００１１】１ｂは右，１ｃは左のウエザーカバー本体側板であり、１ｂ、１ｃ共の各上端部は１ａの両端部と接合されている、１ｂ、１ｃ共の各上部先端は２の両端に接合されている、１ｂ、１ｃの各下端部は４の形状で雨水が流れ集水し易いように形成されている。さらに１ｂ、１ｃ共外側、内側共光触媒の酸化チタンを塗布する。【００１２】５は反射板兼用水切で、光触媒の反応を促進させる意味でウエザーカバー本体の内側へ向けて外湾曲していて紫外線を反射させ取込み易い形状で、又水切の役目を兼ね備えていることから建物取付側は、雨水が集水して水切上に流れる為に適設な立上りの水返しを設けて建物内に侵水を防ぐ形状と、集水した雨水を建物の外壁に流れ伝わらないように取付られてる。【００１３】上記の説明から、実施の形態では降雨時にウエザーカバー本体１上部から雨水が流れると外側は光触媒の親水作用とで雨水は本体上板１ａ水上から全体に拡がりながら水下へ流れ拡がり本体上板先端２で流れを左右に分れて接合している右左側板１ｂ、１ｃに流れ移る、又一部は正面上板から直接右左側板に流れ移る、右左側板に流れた雨水は各下端４に雨水は集まり、次に反射板兼用水切板５の上に流れ移る、次に内側は光触媒の親水作用とで雨水は外側より本体上部雨水流入口３から一定量の雨水が内側へ流入して、正面上板の内側１ｄ上部ら全体に拡がる、以下外側同様に雨水は、右左側板の内側１ｅ、１ｆに流れ移りながら各下端に集まり、次に反射板兼用水切板上５に流れ移る、この反射板兼用水切板上にウエザーカバーの外側、内側より集水した雨水を速やかに建物外に流し切る、この一連雨水の流れ方は従来には無い流線でもあり、又流れのスムーズさも大幅に向上するものであり、この時発生する雨水の流力でウエザーカバーの外側、内側共の汚れ物を洗い流すことを可能とする。【００１４】本発明への光触媒の作用応用について、酸化チタンを塗布した部分は太陽光よりの紫外線を吸収することで「防汚効果」「抗菌効果」「脱臭効果」作用がある、本発明のウエザーカバーの本体外側、内側共酸化チタンを塗布して親水作用で雨水の流れにより汚れを洗い流すのをはじめとし、同時に塗布した部分に付着する全ての雑菌、悪臭を分解することの作用を応用する。
【発明の効果】
【００１５】本発明は上記の如き構成、作用であるから、ウエザーカバー本体に、人の手を加えずにウエザーカバー自体が、雨が降る度に雨水の流れで外側、内側共セルフクリーニング（自己清掃）を行うことが可能となり、取付場所の高所、難所等も選ばず、近隣の外壁、屋根等も汚さずに、と同時に近隣に対し雑菌、悪臭を可能な限り低減することは迷惑感もなくなり、良好な自然環境を作り出す。
【図面の簡単な説明】
【図１】  本発明の全体構成の外観斜図である。
【図２】  本発明の要部の縦断面図である。
【図３】  本発明の平面図（上面図）である。
【図４】  本発明の正面図である。
【図５】  本発明の左側面図である。
【図６】  本発明の右側面図である。
【図７】  従来品の外観斜図である。
【符号の説明】
１．．．．．．ウエザーカバー本体        ３．．．．．．本体上部雨水流入口
１ａ．．．．．本体上板                  ４．．．．．．本体側板下端部
１ｂ．．．．．本体右側板                ５．．．．．．反射板兼用水切
１ｃ．．．．．本体左側板
１ｄ．．．．．本体上板内側
１ｅ．．．．．本体右側板内側
１ｆ．．．．．本体左側板内側
２．．．．．．本体上板の水下先
【図１】
2005180886.tif 000003
【図２】
2005180886.tif 000004
【図３】
2005180886.tif 000005
【図４】
2005180886.tif 000006
【図５】
2005180886.tif 000007
【図６】
2005180886.tif 000008
【図７】
2005180886.tif 000009